(57)【要約】【課題】本発明は、ユーザ同士の共有体験情報を構築することが可能な共有体験情報構築システムを提供することを目的とする。【解決手段】第１のユーザＡの情報端末処理装置１では、第１のユーザにより所定の体験に関するコンテンツが選択されたあと、コンテンツ識別情報を第２のユーザＢの情報端末装置３に対して出力し、それら各種情報をサーバ装置３に送信する。第２のユーザＢの情報端末装置２では、コンテンツ識別情報を入力したあと、コンテンツ識別情報に対応する固有キーを生成し、コンテンツ識別情報の入力日時および／または入力地点に関する情報などをサーバ装置３に送信する。サーバ装置３では、各固有キーを照合した上で、コンテンツ識別情報の入力日時および／または入力地点をコンテンツの共有日時および／または共有地点とし、共有体験情報を構築してデータベース化する。【選択図】図１
2016004502.tif 000002
【特許請求の範囲】
【請求項１】
第１のユーザの情報端末装置と、第２のユーザの情報端末装置と、それら第１のユーザおよび第２のユーザの情報端末装置にネットワークを介して接続されたサーバ装置とを備え、
第１のユーザの情報端末装置は、
第１のユーザにより所定の体験に関するコンテンツが選択されるコンテンツ選択部と、
該コンテンツ選択部により選択されたコンテンツを識別する情報を第２のユーザの情報端末装置に対して出力するコンテンツ識別情報出力部と、
前記コンテンツ選択部により選択されたコンテンツに対応する固有キーを生成する第１固有キー生成部と、
第１のユーザに関する情報、前記固有キー生成部により生成された固有キー、およびコンテンツに関する情報をネットワークを介して前記サーバ装置に送信する第１ユーザ情報送信部とを備え、
第２のユーザの情報端末装置は、
第１のユーザの情報端末装置から出力されたコンテンツを識別する情報を入力するコンテンツ識別情報入力部と、
該コンテンツ識別情報入力部により入力されたコンテンツを識別する情報に対応する固有キーを生成する第２固有キー生成部と、
第２のユーザに関する情報、前記固有キー生成部により生成された固有キー、コンテンツ識別情報入力部により入力されたコンテンツを識別する情報の入力日時および／または入力地点に関する情報をネットワークを介して前記サーバ装置に送信する第２ユーザ情報送信部とを備え、
前記サーバ装置は、
前記第１のユーザの情報端末装置と前記第２のユーザの情報端末装置から送信されてきた固有キーを照合する固有キー照合部と、
該固有キー照合部により固有キーの照合が成功した場合に、第２の情報端末装置から送信されてきたコンテンツを識別する情報の入力日時および／または入力地点をコンテンツの共有日時および／または共有地点とし、第１のユーザに関する情報、第２のユーザに関する情報、コンテンツに関する情報、および共有日時および／または共有地点に関する情報を互いに関連付けることにより、第１のユーザと第２のユーザとの間における共有体験情報として構築する共有体験情報構築部と、
該共有体験情報構築部により構築された第１のユーザと第２のユーザの間における共有体験情報を記憶する共有体験情報記憶部とを備えることを特徴とする共有体験情報構築システム。
【請求項２】
前記第１の情報端末装置は、前記第１ユーザ情報送信部がコンテンツの取得日時および／または取得地点に関する情報をサーバ装置に送信し、
前記サーバ装置は、共有体験情報構築部がコンテンツの取得日時および／または取得地点に関する情報と、コンテンツの共有日時および／または共有地点に関する情報とを互いに関連付ける請求項１に記載の共有体験情報構築システム。
【請求項３】
前記第１のユーザの情報端末装置は、前記コンテンツ識別情報出力部が附属のディスプレイであって、コンテンツを識別する情報をディスプレイに表示することにより出力するとともに、
前記第２のユーザの情報端末装置は、前記コンテンツ情報入力部が附属の撮影カメラであって、第１のユーザの情報端末装置のディスプレイに表示されたコンテンツを識別する情報を撮影することにより入力する請求項１または請求項２に記載の共有体験情報構築システム。
【請求項４】
前記第１のユーザの情報端末装置は、前記コンテンツ識別情報出力部が附属のスピーカであって、コンテンツを識別する情報をスピーカの音声により出力するとともに、
前記第２のユーザの情報端末装置は、前記コンテンツ情報入力部が附属のマイクであって、第１のユーザの情報端末装置のスピーカの音声により出力されたコンテンツを識別する情報を録音することにより入力する請求項１または請求項２に記載の共有体験情報構築システム。
【請求項５】
前記第１のユーザの情報端末装置は、第１ユーザ情報送信部が第２のユーザの情報端末装置との間においてコンテンツを識別する情報を出力した出力日時および／または出力地点をサーバ装置に送信し、
前記サーバ装置は、前記固有キー照合部が第１のユーザの情報端末装置から送信されてきた出力日時および／または出力地点と、第２のユーザの情報端末装置から送信されてきた入力日時および／または入力地点とが所定の時間および／または領域の範囲内である否かの照合を行う請求項１から請求項４のいずれかに記載の共有体験情報構築システム。
【請求項６】
前記サーバ装置は、前記共有体験情報記憶部に記憶されている共有体験情報を抽出する共有体験情報抽出部と、該共有体験情報抽出部により抽出された共有体験情報をユーザの情報端末装置に出力せしめる共有体験情報出力制御部とを備える請求項１から請求項５のいずれかに記載の共有体験情報構築システム。
【請求項７】
前記共有体験情報抽出部は、ユーザの情報端末装置によって共有体験情報に関する条件が指定された場合、前記共有体験情報記憶部に記憶されている共有体験情報から当該条件に一致する共有体験情報を抽出する請求項６に記載の共有体験情報構築システム。
【請求項８】
前記共有体験情報抽出部は、前記共有体験情報記憶部に記憶されている共有体験情報を所定の形式に加工した状態で抽出する請求項６または請求項７に記載の共有体験情報構築システム。
【請求項９】
前記共有体験情報出力制御部は、共有体験情報をコンテンツの取得日時の順にユーザの情報端末装置に表示せしめる請求項６から請求項８のいずれかに記載の共有体験情報構築システム。
【請求項１０】
前記共有体験情報出力制御部は、所定のユーザとの間の共有体験情報をユーザの情報端末装置に表示せしめる請求項６から請求項９のいずれかに記載の共有体験情報構築システム。
【請求項１１】
前記共有体験情報出力制御部は、共有体験情報が有するコンテンツの取得地点および／または共有地点に基づいて、共有体験情報を所定の地図上に表したものをユーザの情報端末装置に表示せしめる請求項６から請求項１０のいずれかに記載の共有体験情報構築システム。
【請求項１２】
前記共有体験情報出力制御部は、共有体験情報が有するコンテンツの共有日時および／または共有地点に基づいて、所定の地点におけるコンテンツの共有回数をユーザの情報端末装置に出力せしめる請求項６から請求項１１のいずれかに記載の共有体験情報構築システム。
【請求項１３】
前記共有体験情報出力制御部は、共有体験情報が有するコンテンツの共有日時および／または共有地点に基づいて、所定の期間におけるコンテンツの共有回数をユーザの情報端末装置に出力せしめる請求項６から請求項１２のいずれかに記載の共有体験情報構築システム。
【請求項１４】
前記共有体験情報出力制御部は、ユーザに関する情報を除いた状態で共有体験情報をユーザの情報端末装置に出力せしめる請求項６から請求項１３のいずれかに記載の共有体験情報構築システム。
【請求項１５】
前記共有体験情報抽出部は、共有体験情報が有するコンテンツの取得日時、取得地点、共有日時および／または共有地点に基づいて、共通性がある共有体験情報をグループ化する請求項６から請求項１４のいずれかに記載の共有体験情報構築システム。
【発明の詳細な説明】
【技術分野】
【０００１】
本発明は、ユーザ同士の間において所定の体験に関するコンテンツを共有したことを示す共有体験情報を構築するための共有体験情報構築システムに関するものである。
【背景技術】
【０００２】
近年、インターネットや通信機器の発展および普及に伴って、様々なサービスが提供されており、その中で画像等のコンテンツに関する情報を共有するシステムが数多く提案されている。
【０００３】
例えば、特許文献１には、複数の携帯端末が通信によって接続され、撮影携帯端末が画像を撮影し画像データとし、画像データからインデックスデータを作成して他の携帯端末へ送信し、他の携帯端末は受信したインデックスデータから、受信する画像データを指定する共有画像指定情報を作成して撮影携帯端末に返信し、撮影携帯端末は共有画像指定情報で指定された画像データを他の携帯端末へ送信する画像共有システムが開示されている。
【０００４】
また、特許文献２には、被写体像３３を画像データに変換すると共に、画像データの格納先に関するＱＲコード（登録商標）を表示パネル８に表示可能なカメラ１００と、ＱＲコード（登録商標）を撮像し、デコードして、サイトサーバー５１の記録部５２に記録されたに基づいて、画像３３の格納先にアクセスし、画像３３のデータを取得する携帯電話３４とを有する画像共有システムが開示されている。
【０００５】
また、特許文献３には、携帯電話３０Ａが連携するコンテンツサーバ２１Ａとの間でコンテンツを共有すると共に、携帯電話３０Ｂと連携するコンテンツサーバ２１Ｂを有するデジタルコンテンツ共有システム１０であって、コンテンツサーバ２１Ｂは、携帯電話３０Ｂが携帯電話３０Ａとの通話の際に交換したコンテンツ参照情報を利用して該当するコンテンツ要求を受け付けた際に、前記コンテンツ要求に基づいてコンテンツサーバ２１Ｂから対応するコンテンツの提供を受けてコンテンツサーバ２１Ａとの間でコンテンツを共有する。コンテンツサーバ２１Ａは、共有するコンテンツをネットワーク上で公開するコンテンツ共有システムが開示されている。
【０００６】
また、特許文献４には、携帯端末２０と携帯端末２２との間の通話処理中に、一方の携帯端末から他方の携帯端末へコンテンツＩＤ送信するとともに、双方の携帯端末（携帯端末２０及び携帯端末２２）において、該コンテンツＩＤのコンテンツの画像を各々の表示部２６及び表示部３６へ表示するため、携帯端末２０と携帯端末２２との間の通話処理中に、同一のコンテンツの画像を各々の携帯端末の表示部に表示することができ、通話中に同一のコンテンツを共有することが可能となる情報共有システムが開示されている。
【先行技術文献】
【特許文献】
【０００７】
【特許文献１】特開２０１０−８６１７４号公報
【特許文献２】特開２００８−２３６１５９号公報
【特許文献３】特開２００８−１５８８４３号公報
【特許文献４】特開２００４−２９７２５０号公報
【発明の概要】
【発明が解決しようとする課題】
【０００８】
しかしながら、従来の共有システムは、いずれも画像等のコンテンツ「そのもの」を共有するだけであって、どのユーザ同士の間で、どこで、いつ、画像等のコンテンツを共有したのかといった、画像等のコンテンツを共有した「こと」までも共有するものではなかった。このため共有した画像等のコンテンツを後から閲覧しても、そのコンテンツに関して共有を行ったユーザ、共有日時あるいは共有地点を特定することができず、ユーザ同士の共有体験情報を真の意味で共有しているものではなかった。
【０００９】
本発明は、上述の技術的背景に鑑みてなされたものであり、共有した画像等のコンテンツに関して、共有を行ったユーザ、共有日時あるいは共有地点を共有することができ、ひいてはユーザ同士の共有体験情報を構築することが可能な共有体験情報構築システムを提供することを目的とする。
【課題を解決するための手段】
【００１０】
本発明は、上記目的を達成するために、第１のユーザの情報端末装置と、第２のユーザの情報端末装置と、それら第１のユーザおよび第２のユーザの情報端末装置にネットワークを介して接続されたサーバ装置とを備える。第１のユーザの情報端末装置は、第１のユーザにより所定の体験に関するコンテンツが選択されるコンテンツ選択部と、該コンテンツ選択部により選択されたコンテンツを識別する情報を第２のユーザの情報端末装置に対して出力するコンテンツ識別情報出力部と、前記コンテンツ選択部により選択されたコンテンツに対応する固有キーを生成する第１固有キー生成部と、第１のユーザに関する情報、前記固有キー生成部により生成された固有キー、およびコンテンツに関する情報をネットワークを介して前記サーバ装置に送信する第１ユーザ情報送信部とを備える。第２のユーザの情報端末装置は、第１のユーザの情報端末装置から出力されたコンテンツを識別する情報を入力するコンテンツ識別情報入力部と、該コンテンツ識別情報入力部により入力されたコンテンツを識別する情報に対応する固有キーを生成する第２固有キー生成部と、第２のユーザに関する情報、前記固有キー生成部により生成された固有キー、コンテンツ識別情報入力部により入力されたコンテンツを識別する情報の入力日時および／または入力地点に関する情報をネットワークを介して前記サーバ装置に送信する第２ユーザ情報送信部とを備える。前記サーバ装置は、前記第１のユーザの情報端末装置と前記第２のユーザの情報端末装置から送信されてきた固有キーを照合する固有キー照合部と、該固有キー照合部により固有キーの照合が成功した場合に、第２の情報端末装置から送信されてきたコンテンツを識別する情報の入力日時および／または入力地点をコンテンツの共有日時および／または共有地点とし、第１のユーザに関する情報、第２のユーザに関する情報、コンテンツに関する情報、および共有日時および／または共有地点に関する情報を互いに関連付けることにより、第１のユーザと第２のユーザとの間における共有体験情報として構築する共有体験情報構築部と、該共有体験情報構築部により構築された第１のユーザと第２のユーザの間における共有体験情報を記憶する共有体験情報記憶部とを備える。
【００１１】
前記第１の情報端末装置は、前記第１ユーザ情報送信部がコンテンツの取得日時および／または取得地点に関する情報をサーバ装置に送信し、前記サーバ装置は、共有体験情報構築部がコンテンツの取得日時および／または取得地点に関する情報と、コンテンツの共有日時および／または共有地点に関する情報とを互いに関連付けてもよい。
【００１２】
前記第１のユーザの情報端末装置は、前記コンテンツ識別情報出力部が附属のディスプレイであって、コンテンツを識別する情報をディスプレイに表示することにより出力するとともに、前記第２のユーザの情報端末装置は、前記コンテンツ情報入力部が附属の撮影カメラであって、第１のユーザの情報端末装置のディスプレイに表示されたコンテンツを識別する情報を撮影することにより入力してもよい。
【００１３】
前記第１のユーザの情報端末装置は、前記コンテンツ識別情報出力部が附属のスピーカであって、コンテンツを識別する情報をスピーカの音声により出力するとともに、前記第２のユーザの情報端末装置は、前記コンテンツ情報入力部が附属のマイクであって、第１のユーザの情報端末装置のスピーカの音声により出力されたコンテンツを識別する情報を録音することにより入力してもよい。
【００１４】
前記第１のユーザの情報端末装置は、第１ユーザ情報送信部が第２のユーザの情報端末装置との間においてコンテンツを識別する情報を出力した出力日時および／または出力地点をサーバ装置に送信し、前記サーバ装置は、前記固有キー照合部が第１のユーザの情報端末装置から送信されてきた出力日時および／または出力地点と、第２のユーザの情報端末装置から送信されてきた入力日時および／または入力地点とが所定の時間および／または領域の範囲内である否かの照合を行ってもよい。
【００１５】
前記サーバ装置は、前記共有体験情報記憶部に記憶されている共有体験情報を抽出する共有体験情報抽出部と、該共有体験情報抽出部により抽出された共有体験情報をユーザの情報端末装置に出力せしめる共有体験情報出力制御部とを備えてもよい。
【００１６】
前記共有体験情報抽出部は、ユーザの情報端末装置によって共有体験情報に関する条件が指定された場合、前記共有体験情報記憶部に記憶されている共有体験情報から当該条件に一致する共有体験情報を抽出してもよい。
【００１７】
前記共有体験情報抽出部は、前記共有体験情報記憶部に記憶されている共有体験情報を所定の形式に加工した状態で抽出してもよい。
【００１８】
前記共有体験情報出力制御部は、共有体験情報をコンテンツの取得日時の順にユーザの情報端末装置に表示せしめてもよい。
【００１９】
前記共有体験情報出力制御部は、所定のユーザとの間の共有体験情報をユーザの情報端末装置に表示せしめてもよい。
【００２０】
前記共有体験情報出力制御部は、共有体験情報が有するコンテンツの取得地点および／または共有地点に基づいて、共有体験情報を所定の地図上に表したものをユーザの情報端末装置に表示せしめてもよい。
【００２１】
前記共有体験情報出力制御部は、共有体験情報が有するコンテンツの共有日時および／または共有地点に基づいて、所定の地点におけるコンテンツの共有回数をユーザの情報端末装置に出力せしめてもよい。
【００２２】
前記共有体験情報出力制御部は、共有体験情報が有するコンテンツの共有日時および／または共有地点に基づいて、所定の期間におけるコンテンツの共有回数をユーザの情報端末装置に出力せしめてもよい。
【００２３】
前記共有体験情報出力制御部は、ユーザに関する情報を除いた状態で共有体験情報をユーザの情報端末装置に出力せしめてもよい。
【００２４】
前記共有体験情報抽出部は、共有体験情報が有するコンテンツの取得日時、取得地点、共有日時および／または共有地点に基づいて、共通性がある共有体験情報をグループ化してもよい。
【発明の効果】
【００２５】
本発明によれば、画像等のコンテンツを共有するだけでなく、その共有した画像等のコンテンツに関して、共有を行ったユーザ、共有日時あるいは共有地点を共有することができ、ひいてはユーザ同士の共有体験情報を構築することが可能となる。
【図面の簡単な説明】
【００２６】
【図１】本システムの全体構成を示す図である。
【図２】第１および第２のユーザの情報端末装置の機能的構成を示す図である。
【図３】サーバ装置の共有体験情報構築に係る機能的構成を示す図である。
【図４】サーバ装置の共有体験情報の構造の一例を示す図である。
【図５】サーバ装置の共有体験情報の構造の他の例を示す図である。
【図６】本システムによる共有体験情報の構築の動作を示すフローチャートである。
【図７】サーバ装置の共有体験情報提示に係る機能的構成を示す図である。
【図８】本システムによる共有体験情報の提示の動作を示すフローチャートである。
【図９】実施例１に係る第１のユーザおよび第２のユーザの情報端末装置を示す図である。
【図１０】実施例２に係る共有体験情報の表示画面を示す図である。
【図１１】実施例３に係る共有体験情報の表示画面を示す図である。
【図１２】実施例４に係る共有体験情報の表示画面を示す図である。
【図１３】実施例５に係る共有体験情報の表示画面を示す図である。
【図１４】実施例６に係る共有体験情報のグループ化の構造を示す図である。
【発明を実施するための形態】
【００２７】
＜第１の実施形態＞
次に、本発明に係る共有体験情報構築システム１（以下、本システム１という）の第１の実施形態について図１〜図６を参照しつつ説明する。  
【００２８】
[全体構成]
図１は、本システム１の全体構成を示す図である。本システム１は、図１に示すように、第１のユーザＡの情報端末装置１と、第２のユーザＢの情報端末装置２と、それら第１のユーザＡおよび第２のユーザＢの情報端末装置１、２にネットワークを介して接続されたサーバ装置３とを備える。
【００２９】
なお、以下の説明では、説明の都合上、第１のユーザＡの情報端末装置１をコンテンツの出力側とし、第２のユーザＢの情報端末装置２をコンテンツの入力側として説明するが、出力側と入力側が互いに逆になってもよい。また、第１のユーザＡの情報端末装置１と第２のユーザＢの情報端末装置２の間について説明するが、ユーザの情報端末装置は実際にはその他にも多数存在している。
【００３０】
[情報端末装置の構成]
前記情報端末装置１、２は、インターネットに接続可能な携帯式の情報端末装置であり、例えばタッチパネル式のディスプレイを備える携帯電話器、スマートフォン、あるいはタブレット端末が挙げられる。これにより各ユーザＡ、Ｂは、情報端末装置１、２により電話機能やメール機能を使用するほか、インターネットに接続して各種サイトを附属のディスプレイに表示せしめたりする。また、前記情報端末装置１、２は、撮影カメラ機能を内蔵しており、ユーザ操作により人物、物、風景などを撮影し、その撮影したコンテンツ画像を装置内に記憶した上で、ディスプレイに表示せしめたり、あるいはメール機能やその他の通信機能を活用して他のユーザに送信したりする。
【００３１】
以下、第１のユーザＡの情報端末装置１と第２のユーザＢの情報端末装置２との機能に分けて具体的に説明することとする。なお、情報端末装置１、２の各種機能は、ネットワーク上から情報端末装置１、２にダウンロードされたアプリケーションプログラムにより実行される形態をとることが多い。
【００３２】
（第１のユーザＡの情報端末装置１）
前記第１のユーザＡの情報端末装置１は、図２に示すように、コンテンツを選択する際に使用する第１入力部１１を備える。この第１入力部１１は、情報端末装置１に設けられた各種ボタン類や、ディスプレイに表示された各種ボタン類やアイコン類である。第１のユーザＡは、該第１入力部を例えば指で操作することにより、インターネットに接続して各種サイトにアクセスしたり、内臓のカメラ機能を使用して人物、物、風景などを撮影したりすることができる。これら情報端末装置１のディスプレイに表示されたサイト画像や撮影画像などは、第１のユーザＡの所定の体験に関するコンテンツとして装置に内蔵のコンテンツキャッシュ１６内に記憶される。
【００３３】
また、前記第１のユーザＡの情報端末装置１は、図２に示すように、所定の体験に関するコンテンツを選択するためのコンテンツ選択部１２を備える。このコンテンツ選択部１２は、第１のユーザＡによる第１入力部１１の各種操作により、所定のコンテンツをコンテンツキャッシュ１６から選択するものである。例えば、第１のユーザＡは、過去のサイト画像や撮影画像を第１入力部１１の操作によりディスプレイに表示せしめ、第１入力部１１により選択を指示すると、コンテンツ選択部１２により所定のサイト画像や撮影画像が選択される。
【００３４】
また、前記第１のユーザＡの情報端末装置１は、図２に示すように、コンテンツ選択部１２により選択されたコンテンツを識別する情報（以下、コンテンツ識別情報という）を第２のユーザＢの情報端末装置２に出力するコンテンツ識別情報出力部１３を備える。このコンテンツ識別情報出力部１３は、第１のユーザＡの情報端末装置１のディスプレイに表示されたサイト画像や画像等のコンテンツそのものをコンテンツ識別情報として出力したり、あるいはその他の何らかの固有の識別情報をコンテンツ識別情報として出力したりする。また、コンテンツ識別情報出力部１３は、コンテンツ識別情報をディスプレイに表示することにより出力する。なお、コンテンツ識別情報出力部１３は、第２のユーザＢの情報端末装置２に対して直接またはネットワークを介して送信することにより出力してもよい。
【００３５】
また、前記第１のユーザＡの情報端末装置１は、図２に示すように、コンテンツ選択部１２により選択されたコンテンツに対応する固有キーを生成する第１固有キー生成部１４を備える。この第１固有キー生成部１４は、コンテンツであるサイト画像や撮影画像の全体または一部の画像情報を固有キーとしてもよいし、あるいはコンテンツに対応する規定の画像パターンを固有キーとしてもよい。
【００３６】
また、前記第１のユーザＡの情報端末装置１は、図２に示すように、第１のユーザＡに関する情報、第１固有キー生成部１４により生成された固有キー、およびコンテンツ選択部１２により選択されたコンテンツに関する情報（以下、コンテンツ情報という）をネットワークを介して前記サーバ装置３に送信する第１ユーザ情報送信部１５を備える。この第１ユーザ情報送信部１５は、装置内のメモリ（図示略）から第１のユーザＡの名前や識別記号など、何らか第１のユーザＡが特定できる情報を読み出して、その情報を第１のユーザＡに関する情報として送信する。また、第１ユーザ情報送信部１５は、コンテンツ選択部１２により選択されたコンテンツそのものをコンテンツ情報として送信したり、あるいはコンテンツの所在を示すコンテンツポインタをコンテンツ情報として送信したりする。
【００３７】
なお、前記第１のユーザＡの情報端末装置１は、装置に内蔵のタイマー機能やナビゲーション機能などを使用することによりコンテンツの取得日時および／または取得地点を取得し、第１ユーザ情報送信部１５がそれらコンテンツの取得日時および／または取得地点に関する情報をサーバ装置３に送信するものとしてよい。
【００３８】
また、前記第１のユーザＡの情報端末装置１は、装置に内蔵のタイマー機能やナビゲーション機能などを使用することにより、第２のユーザＢの情報端末装置２との間においてコンテンツ識別情報を出力した出力日時および／または出力地点を取得し、第１ユーザ情報送信部１５がそれらコンテンツ識別情報の出力日時／および出力地点に関する情報をサーバ装置３に送信するものとしてもよい。
【００３９】
（第２のユーザＢの情報端末装置２）
一方、前記第２のユーザＢの情報端末装置２は、図２に示すように、第２入力部２１を備える。この第２入力部２１は、情報端末装置２に設けられた各種ボタン類や、ディスプレイに表示された各種ボタン類やアイコン類である。
【００４０】
また、前記第２のユーザＢの情報端末装置２は、図２に示すように、第１のユーザＡの情報端末装置１から出力されたコンテンツ識別情報を入力するコンテンツ識別情報入力部２２を備える。このコンテンツ識別情報入力部２２は、第１のユーザＡの情報端末装置１のディスプレイに表示されたコンテンツ識別情報を内蔵の撮影カメラにより直接撮影することにより入力したり、あるいは第１の情報端末装置から直接またはネットワークを介して送信されてきたコンテンツ識別情報を受信することにより入力したりする。また、コンテンツ識別情報入力部２２は、コンテンツ識別情報を入力した際に、装置に内蔵のタイマー機能やナビゲーション機能などを使用することにより、コンテンツ識別情報の入力日時および／または入力地点を取得する。
【００４１】
なお、このコンテンツ識別情報入力部２２によるコンテンツ識別情報の入力段階では、第１のユーザＡの情報端末装置１との間においてコンテンツ識別情報の出入力が完了したことになるが、コンテンツを未だ共有した状態ではない。
【００４２】
また、前記第２のユーザＢの情報端末装置２は、図２に示すように、コンテンツ識別情報入力部２２により入力されたコンテンツ識別情報に対応する固有キーを生成する第２固有キー生成部２３を備える。この第２固有キー生成部２３は、コンテンツであるサイト画像や撮影画像の全体または一部の画像情報を固有キーとしてもよいし、あるいはコンテンツに対応する規定の画像パターンを固有キーとしてもよい。
【００４３】
また、前記第２のユーザＢの情報端末装置２は、図２に示すように、第２のユーザＢに関する情報、第２固有キー生成部２３により生成された固有キー、およびコンテンツ識別情報入力部２２により入力されたコンテンツ識別情報の入力日時および／または入力地点に関する情報をネットワークを介して前記サーバ装置３に送信する第２ユーザ情報送信部２４を備える。この第２ユーザ情報送信部２４は、装置内のメモリ（図示略）から第２のユーザＢの名前や識別記号など何らか第２のユーザＢが特定できる情報を読み出して、その情報を第２のユーザＢに関する情報として送信する。
【００４４】
なお、本実施形態では、コンテンツとしてサイト画像や撮影画像などの視覚的なコンテンツを例示しているが、音声（音楽を含む）による聴覚的なコンテンツであってもよい。
【００４５】
[サーバ装置３の構成]
前記サーバ装置３は、図１に示すように、各ユーザＡ、Ｂの情報端末装置１、２との間で所定の処理を行う処理サーバ３０と、処理サーバ３０における処理結果を記憶しておくキャッシュサーバ５０と、各ユーザＡ、Ｂの共有体験情報をデータベースとして記憶する第１のユーザＡの共有体験情報データベース４１および第２のユーザＢの共有体験情報データベース４２とを備える。
【００４６】
前記処理サーバ３０は、図３に示すように、第１のユーザＡおよび第２のユーザＢの情報端末装置１、２からネットワークを介して送信されてきた第１のユーザＡおよび第２のユーザＢに関する各種情報を受信するユーザ情報受信部３０１を備える。すなわち、このユーザ情報受信部３０１は、第１のユーザＡの情報端末装置１からネットワークを介して送信されてきた第１のユーザＡに関する情報、固有キー、およびコンテンツ情報を受信するとともに、第２のユーザＢの情報端末装置２からネットワークを介して送信されてきた第２のユーザＢに関する情報、固有キー、コンテンツ識別情報の入力日時および／または入力地点に関する情報を受信する。
【００４７】
前記処理サーバ３０は、図３に示すように、ユーザ情報受信部３０１により受信された第１のユーザＡおよび第２のユーザＢの各種情報のうち、第１のユーザＡおよび第２のユーザＢの各固有キーを照合する固有キー照合部３０２が設けられている。この固有キー照合部３０２は、例えば固有キーがコンテンツであるサイト画像や撮影画像の全体または一部の画像情報である場合、各画像情報について画像分析を行い、各画像が所定の確率で一致したときに照合が成功した判断する。また、固有キーがコンテンツに対応する規定の画像パターンである場合、各規定の画像パターンが一致したときに照合が成功した判断する。なお、固有キーの照合方法については、上述の方法に限定されるものではなく、その他の照合方法であってもよい。
【００４８】
なお、第１のユーザＡの情報端末装置１からコンテンツ識別情報の出力日時および／または出力地点に関する情報が送信されてきた場合、前記固有キー照合部３０２は、第１のユーザＡの情報端末装置１から送信されてきた出力日時および／または出力地点と、第２のユーザＢの情報端末装置２から送信されてきた入力日時および／または入力地点とが所定の時間および／または領域の範囲内であるか否かの照合を行い、照合が成功した場合のみに固有キーを照合するものとしてもよい。
【００４９】
前記処理サーバ３０は、図３に示すように、所定のコンテンツについて第１のユーザＡと第２のユーザＢとの間における共有体験情報を構築する共有体験情報構築部３０３が設けられている。この共有体験情報構築部３０３は、固有キー照合部３０２により各固有キーの照合が成功した場合に、第２のユーザＢの情報端末装置２から送信されてきたコンテンツ識別情報の入力日時および／または入力地点をコンテンツの共有日時および／または共有地点とする。そして、第１のユーザＡに関する情報、第２のユーザＢに関する情報、コンテンツに関する情報、およびコンテンツの共有日時および／または共有地点に関する情報とを互いに関連付ける。すなわち、第２のユーザＢの情報端末装置２が第１の情報端末装置から出力されたコンテンツ識別情報を入力した地点では未だ共有が確定していなかったが、共有体験情報構築部３０３が共有体験情報を構築したことをもってコンテンツの共有が確定する。
【００５０】
なお、第１のユーザＡの情報端末装置１からコンテンツの取得日時および／または取得地点に関する情報が送信されてきた場合、前記共有体験情報構築部３０３はコンテンツの取得日時および／または取得地点に関する情報と、コンテンツの共有日時および／または共有地点に関する情報とを互いに関連付けるものとしてもよい。
【００５１】
図４は、この共有体験情報の構造の一例である。なお、本例では、コンテンツ情報がコンテンツポインタである場合について例示する。図５に示すように、ユーザＡは自信がソースであるコンテンツポインタ１とのリンクを有しており、該リンクにはコンテンツの取得日時Ａ１および取得地点Ａ１の情報が付加されている。また、コンテンツポインタ１は第１のユーザＡが「共有」を行った第２のユーザＢとのリンクを有しており、該リンクにはコンテンツの共有日時Ｂ１および共有地点Ｂ１の情報が付加されている。
【００５２】
また、図５は、共有体験情報の構造の他の例である。図５に示すように、コンテンツポインタ１に関する共有体験情報とコンテンツポインタ２に関する共有体験情報とが統合されている。第２のユーザＢは、コンテンツポインタ１のみからの共有のリンク（共有日時Ｂ１、共有地点Ｂ１）を有している。また、その他のユーザＣは、コンテンツポインタ１からの共有のリンク（共有日時Ｃ１、共有地点Ｃ１）と、コンテンツポインタ２からの共有のリンク（共有日時Ｃ２、共有地点Ｃ２）を有している。また、その他のユーザＤは、コンテンツポインタ１からの共有のリンク（共有日時Ｄ１、共有地点Ｄ１）と、コンテンツポインタ２からの共有のリンク（共有日時Ｄ２、共有地点Ｄ２）を有している。また、ユーザＥは、コンテンツポインタ２のみからの共有のリンク（共有日時Ｅ２、共有地点Ｅ２）を有している。
【００５３】
前記共有体験情報データベース４１、４２は、それぞれ前記処理サーバ３０の共有体験情報構築部３０３により構築された第１のユーザＡと第２のユーザＢの各共有体験情報を記憶するものである。本実施形態では、共有体験情報データベース４１、４２は各ユーザＡ、Ｂごとに分かれているが、一つの共有体験情報データベースとしてもよい。
【００５４】
[本システム１の共有体験情報構築の動作]
次に、本システム１の動作について、図６に示すフローチャートを参照しつつ説明する。なお、以下の説明において、「ステップ」を「Ｓ」と略記する。
【００５５】
なお、第１のユーザＡは、第１入力部１１を例えば指で操作することにより、インターネットに接続して各種サイトにアクセスしたり、内臓の撮影カメラ機能を使用して人物、物、風景などを撮影したりする。これら第１のユーザＡの情報端末装置１のディスプレイに表示されたサイト画像や撮影画像などは、当該ユーザの所定の体験に関するコンテンツとして装置に内蔵のコンテンツキャッシュ１６内に記憶されているものとする。
【００５６】
まず、第１のユーザＡの情報端末装置１において、コンテンツ選択部１２が、ユーザによる第１入力部１１の各種操作により、所定のコンテンツをコンテンツキャッシュ１６から選択する（Ｓ１１）。
【００５７】
そして、コンテンツ識別情報出力部１３が、コンテンツ選択部１２により選択されたコンテンツを識別する情報（コンテンツ識別情報）を第２のユーザＢの情報端末装置２に出力する（Ｓ１２）。
【００５８】
そして、第１固有キー生成部１４が、コンテンツ選択部１２により選択されたコンテンツに対応する固有キーを生成する（Ｓ１３）。
【００５９】
そして、第１ユーザ情報送信部１５が、第１のユーザＡに関する情報、第１固有キー生成部１４により生成された固有キー、およびコンテンツ選択部１２により選択されたコンテンツ情報をネットワークを介して前記サーバ装置３に送信する（Ｓ１４）。
【００６０】
一方、第２のユーザＢの情報端末装置２において、コンテンツ識別情報入力部２２が、第１のユーザＡの情報端末装置１から出力されたコンテンツ識別情報を入力する（Ｓ２１）。
【００６１】
そして、第２固有キー生成部２３が、コンテンツ識別情報入力部２２により入力されたコンテンツ識別情報に対応する固有キーを生成する（Ｓ２２）。
【００６２】
そして、第２ユーザ情報送信部２４が、第２のユーザＢに関する情報、第２固有キー生成部２３により生成された固有キー、およびコンテンツ識別情報入力部２２により入力されたコンテンツ識別情報の入力日時および／または入力地点に関する情報をネットワークを介して前記サーバ装置３に送信する（Ｓ２３）。
【００６３】
而して、サーバ装置３において、ユーザ情報受信部３０１が、第１のユーザＡおよび第２のユーザＢの情報端末装置１、２からネットワークを介して送信されてきた第１ユーザＡおよび第２のユーザＢの各種情報を受信する（Ｓ３１）。
【００６４】
そして、固有キー照合部３０２が、ユーザ情報受信部３０１により受信された各ユーザ情報のうち、各固有キーを照合する（Ｓ３２）。
【００６５】
そして、共有体験情報構築部３０３が、固有キー照合部３０２により各固有キーの照合が成功した場合に、第２のユーザＢの情報端末装置２から送信されてきたコンテンツ識別情報の入力日時および／または入力地点をコンテンツの共有日時および／または共有地点とする。そして、第１のユーザＡに関する情報、第２のユーザＢに関する情報、コンテンツに関する情報、およびコンテンツの共有日時および／または共有地点に関する情報、あるいはさらコンテンツの取得日時および／または取得地点とを互いに関連付けることにより、第１のユーザＡと第２のユーザＢにおける共有体験情報として構築する（Ｓ３３）。
【００６６】
＜第２の実施形態＞
次に、本発明に係る本システム１の第２の実施形態について図７〜図８を参照しつつ説明する。
【００６７】
本実施形態では、サーバ装置３の処理サーバ３０は、第１の実施形態における共有体験情報を構築する機能に加えて、構築した共有体験情報をユーザに提示する機能を有する。
【００６８】
なお、本実施形態では、第１のユーザＡの要求に応じて第１のユーザＡの共有体験情報を提示する場合について説明する。また、実施形態１と同様の機能については、同一の符号を付して、その説明を省略することとする。
【００６９】
[サーバ装置３の構成]
前記処理サーバ３０は、図７に示すように、ユーザを認証するための認証部３０４が設けられている。この認証部３０４は、第１のユーザＡの情報端末装置１からネットワークを介して送信されてきた第１のユーザＡに関する情報に関して当該第１のユーザＡの認証を行うものである。
【００７０】
前記処理サーバ３０は、図７に示すように、ユーザによる条件の指定を行う条件指定部３０５が設けられている。この条件指定部３０５は、前記認証部３０４による第１のユーザＡの認証が成功した場合、第１のユーザＡの情報端末装置１との間において条件指定に係る処理を実行するものである。この条件指定に関しては、例えば所定のユーザとの間における共有体験情報を指定したり、所定の日時や地点に関する共有体験情報を指定したりする。
【００７１】
前記処理サーバ３０は、図７に示すように、共有体験情報を抽出する共有体験情報抽出部３０６が設けられている。この共有体験情報抽出部３０６は、第１のユーザＡの共有体験情報データベース４１に記憶されている共有体験情報を抽出するものである。特に本実施形態では、共有体験情報抽出部３０６は、第１のユーザＡの情報端末装置１によって共有体験情報に関する条件が指定された場合、前記共有体験情報データベース４１に記憶されている共有体験情報から当該条件に一致する共有体験情報を抽出する。また、共有体験情報抽出部３０６は、共有体験情報抽出部３０６が前記共有体験情報データベース４１に記憶されている共有体験情報を所定の形式に加工した状態で抽出してもよい。
【００７２】
前記処理サーバ３０は、図７に示すように、共有体験情報抽出部３０６により抽出された共有体験情報をネットワークを介して第１のユーザＡの情報端末に出力せしめる共有体験情報出力制御部３０７が設けられている。
【００７３】
この共有体験情報出力制御部３０７は、例えば共有体験情報をコンテンツの取得の日時順にユーザの情報端末装置に表示せしめたり（実施例２）、所定のユーザとの間の共有体験情報をユーザの情報端末装置に表示せしめたりしてもよい（実施例３）。また、共有体験情報が有するコンテンツの取得地点および／または共有地点に基づいて、共有体験情報を所定の地図上に表したものをユーザの情報端末装置に表示せしめてもよい（実施例４）。さらに共有体験情報が有するコンテンツの取得日時、取得地点、共有日時および／または共有地点に基づいて、所定の地点におけるコンテンツの共有回数をユーザの情報端末装置に出力せしめたり、所定の期間におけるコンテンツの共有回数をユーザの情報端末装置に出力せしめたりしてもよい。さらにまた、共有体験情報をユーザに関する情報を除いた状態でユーザの情報端末装置に出力せしめてもよい（実施例５）。
【００７４】
[本システム１の共有体験情報提示の動作]
次に、本システム１の動作について、図８に示すフローチャートを参照しつつ説明する。なお、以下の説明において、「ステップ」を「Ｓ」と略記する。
【００７５】
まず、サーバ装置３において、認証部３０４は、第１のユーザＡの情報端末からネットワークを介して送信されてきた第１のユーザＡに関する情報に関して当該第１のユーザＡの認証を行う（Ｓ４１）。
【００７６】
そして、条件指定部３０５が、前記認証部３０４による第１のユーザＡの認証が成功した場合、第１のユーザＡの情報端末との間において条件指定に係る処理を実行する（Ｓ４２）。
【００７７】
そして、共有体験情報抽出部３０６が、ユーザの情報端末装置によって共有体験情報に関する条件が指定された場合、前記共有体験情報データベース４１に記憶されている共有体験情報から当該条件に一致する共有体験情報を抽出する（Ｓ４３）。
【００７８】
そして、共有体験情報出力制御部３０７が、共有体験情報抽出部３０６により抽出された共有体験情報をネットワークを介して第１のユーザＡの情報端末に出力せしめる（Ｓ４４）
【００７９】
[実施例１]
本実施例では、図９に示すように、第１のユーザＡの所定の体験に関するコンテンツとして、第１のユーザＡの情報端末装置１のディスプレイに表示された地図と店舗に関するサイト画像を使用している。
【００８０】
具体的に説明すると、第１のユーザＡの情報端末装置１において、コンテンツ識別情報出力部１３は、サイト画像そのものをコンテンツ識別情報として、当該サイト画像をディスプレイに表示することにより出力している。そして、第２のユーザＢの情報端末装置２において、コンテンツ識別情報入力部２２は、第１のユーザＡの情報端末装置１のディスプレイに表示された当該サイト画像を内蔵の撮影カメラにより直接撮影することにより入力している。
【００８１】
また、第１のユーザＡの情報端末装置１において、第１固有キー生成部１４は、ディスプレイに表示されている当該サイト画像の全体または一部の画像情報を固有キーとしたり、あるいは当該サイト画像に対応する規定の画像パターンを固有キーとする。また、第２のユーザＢの情報端末装置２において、第２固有キー生成部２３は、撮像カメラで撮影した当該サイトのサイト画像の全体または一部の画像情報を固有キーとしたり、あるいは当該サイト画像に対応する規定の画像パターンを固有キーとする。これら各固有キーは、サーバ装置３の固有キー照合部３０２において互いに比較されることにより照合され、照合が成功した場合に第１のユーザＡと第２のユーザＢとの間における共有体験情報が構築される。
【００８２】
このため第１のユーザＡの情報端末装置１と第２のユーザＢの情報端末装置２との間において、第１のユーザＡの情報端末装置１のディスプレイで表示されたサイト画像を第２のユーザＢの情報端末装置２の撮像カメラで撮影するという直観的な操作によって、第１のユーザＡと第２のユーザＢの間における共有体験情報を構築することができる。
【００８３】
なお、本実施例では、第１のユーザＡの情報端末装置１と第２のユーザＢの情報端末装置２の間において、コンテンツとしてサイト画像や撮影画像などの視覚的なコンテンツを例示したが、音声（音楽を含む）による聴覚的なコンテンツであってもよい。すなわち、第１のユーザＡの情報端末装置１は、コンテンツ識別情報出力部１３が附属のスピーカであって、コンテンツ識別情報をスピーカの音声により出力する。また、第２のユーザＢの情報端末装置２は、コンテンツ情報入力部２２が附属のマイクであって、第１のユーザＡの情報端末装置１のスピーカの音声により出力されたコンテンツ識別情報を録音することにより入力する。
【００８４】
また、コンテンツが画像などの視覚的なものである場合には、第１のユーザＡの情報端末装置１と第２のユーザＢの情報端末装置２との間のコンテンツ識別情報の入出力も画像などの視覚的なものとするのが一般的であるが、規定の音声パターンなどの聴覚的なものを用いてもよい。一方、コンテンツが音声などの聴覚的なものである場合には、第１のユーザＡの情報端末装置１と第２のユーザＢの情報端末装置２との間のコンテンツ識別情報の入出力も音声などの聴覚的なものとするのが一般的であるが、既定の画像パターンなどの視覚的なものを用いてもよい。要は、コンテンツが視覚的なもの、あるいは聴覚的なものにかかわらず、第１のユーザＡの情報端末装置１と第２のユーザＢの情報端末装置２との間のコンテンツ識別情報の入出力は視覚的あるいは聴覚的なコンテンツ識別情報が適宜使用され、サーバ装置３における照合も適宜使用された視覚的あるいは聴覚的なコンテンツ識別情報から生成された各固有キーにより照合が行われる。
【００８５】
[実施例２]
本実施例では、図１０に示すように、第１のユーザＡの情報端末装置１のディスプレイにおいて、共有体験情報がコンテンツの取得日時の順に表示される。
【００８６】
具体的に説明すると、サーバ装置３の共有体験情報出力制御部３０７は、第１のユーザＡの情報端末装置１からの指示に従って、共有体験情報をコンテンツの取得日時の順に第１のユーザＡの情報端末装置１に表示せしめる。例えば、第１のユーザＡの情報端末装置１のディスプレイにおいて、各コンテンツ１、２などがそれぞれの取得日時Ａ１、Ａ２の順にサイト画像または撮影画像とともに表示されている。また、コンテンツ１の表示エリアには、共有を行ったユーザの名称Ｂ、Ｃ、Ｄと、共有日時Ｂ１、Ｃ１、Ｄ１と、共有地点Ｂ１、Ｃ１、Ｄ１が表示されている。また、コンテンツ２の表示エリアには、共有を行ったユーザの名称Ｃ、Ｄ、Ｅと、共有日時Ｃ２、Ｄ２、Ｅ２と、共有地点Ｃ２、Ｄ２、Ｅ２が表示されている。
【００８７】
このため第１のユーザＡは、過去のコンテンツ毎に関する共有体験情報を時系列順に閲覧することができる。
【００８８】
[実施例３]
本実施例では、図１１に示すように、第１のユーザＡの情報端末装置１のディスプレイにおいて、特定のユーザとの間の共有体験情報が表示される。
【００８９】
具体的に説明すると、サーバ装置３の共有体験情報出力制御部３０７は、第１のユーザＡの情報端末装置１からの指示に従って、特定のユーザとの間の共有体験情報をユーザの情報端末装置に表示せしめる。例えば、第１のユーザＡの情報端末装置１のディスプレイにおいて、特定のユーザＣとの間の共有体験情報がまとめて表示されている。このときユーザＣとの間で共有したコンテンツ１、２などがそれぞれの共有日時Ｃ１、Ｃ２の順にサイト画像または撮影画像とともに表示される。また、コンテンツ１の表示エリアには、特定のユーザＣの他に共有を行ったユーザＢやユーザＤの名称Ｂ、Ｄと、それら共有日時Ｂ１、Ｄ１と、共有地点Ｂ１、Ｄ１が表示されている。また、コンテンツ２の表示エリアには、特定のユーザＣの他に共有を行ったユーザＤやユーザＥの名称Ｄ、Ｅと、それら共有日時Ｄ２、Ｅ２と、共有地点Ｄ２、Ｅ２が表示されている。
【００９０】
このため第１のユーザＡは、ある特定のユーザＣに限定して、そのユーザＣとの共有体験情報を時系列順に閲覧することができる。
【００９１】
[実施例４]
本実施例では、図１２に示すように、第１のユーザＡの情報端末装置１のディスプレイにおいて、共有体験情報を所定の地図上に表したものが表示される。
【００９２】
具体的に説明すると、前記共有体験情報出力制御部３０７は、共有体験情報が有するコンテンツの取得地点および／または共有地点に基づいて、共有体験情報を所定の地図上に表したものをユーザの情報端末装置に表示せしめる。例えば、第１のユーザＡの情報端末装置１のディスプレイにおいて、コンテンツ１、２に関わる共有体験情報を所定の地図上に表したものが表示される。このときコンテンツ１の表示エリアでは、「現在地」の東側における第１十字路の北東角部にコンテンツ１のサイト画像と、共有したユーザの名称Ｂ、Ｃ、Ｄが吹き出し的に表示されている。また、コンテンツ２の表示エリアでは、「現在地」の西側における第１十字路の南東部にコンテンツ２の撮影画像と、共有したユーザの名称Ｃ、Ｄ、Ｅが表示されている。
【００９３】
このため第１のユーザＡは、現在地の近くで過去にどのような共有体験情報が構築されたのかや、どういった地域で多くの共有体験情報が構築されたかなどを直観的に閲覧することができる。
【００９４】
[実施例５]
本実施例では、図１３に示すように、第１のユーザＡの情報端末装置１のディスプレイにおいて、ユーザ名が除かれた状態で、所定の地点におけるコンテンツの共有回数が表示される。
【００９５】
具体的には、共有体験情報出力制御部３０７は、ユーザに関する情報を除いた状態で共有体験情報を第１のユーザＡの情報端末装置１に出力せしめる。また、共有体験情報出力制御部３０７は、共有体験情報が有するコンテンツの取得日時、取得地点、共有日時および／または共有地点に基づいて、所定の地点におけるコンテンツの共有回数をユーザの情報端末装置に出力せしめる。例えば、第１のユーザＡの情報端末装置１のディスプレイにおいて、場所１、２に関わる共有体験情報を地図上に表したものが表示される。このとき場所１の表示エリアでは、「現在地」の東側における第１十字路の北東角部に共有体験した月（4月、5月、6月）と各回数（10回、2回、2回）が表示される。また、場所２の表示エリアでは、「現在地」の西側における第１十字路の南東角部に共有体験した月（4月、5月、6月）と各回数（2回、2回、10回）が表示される。
【００９６】
このため匿名性を維持した共有体験情報を活用することができる。例えば、現在が６月である場合、場所１と場所２では、場所２の方が６月に共有体験情報がより多く構築されている。よって、６月により共有体験を構築したい魅力的な場所があることが分かり、ユーザをその時のより魅力的な場所へと誘導することができる。
【００９７】
[実施例６]
本実施例では、図１４に示すように、コンテンツの取得日時、取得地点、共有日時、あるいは共有地点について共通性のあるユーザを自動的にグループ化する。
【００９８】
具体的には、共有体験情報抽出部３０６は、所定のユーザの共有体験情報データベースに記憶されている共有体験情報において、共有体験情報が有するコンテンツの取得日時、取得地点、共有日時および／または共有地点に基づいて、共通性がある共有体験情報を多数構築しているユーザをグループ化する。例えば、ユーザＡの共有体験情報データベースに記憶されている共有体験情報において、別のユーザＢ、ユーザＣ、ユーザＤとの間に多くの共有体験情報を構築している場合、共有体験情報抽出部３０６はユーザＡの共有体験情報データベース上で自動的にユーザＢ、ユーザＣおよびユーザＤをグループ化し（例えば、「仲良しグループ」などと名付けても良い）、ユーザＡが特定のグループ（仲良しグループ）を指定して共有体験情報を抽出する。
【００９９】
このため所定のユーザと別のユーザがグループ化されることにより、当該ユーザは複数のユーザとの共有体験情報を容易に選んで提示させたり、複数のユーザに対して一括で共有体験情報を紹介したりすることができる。
【０１００】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【０１０１】
１・・・ユーザＡの情報端末装置
１１・・・第１入力部
１２・・・コンテンツ選択部
１３・・・コンテンツ識別情報出力部
１４・・・第１固有キー生成部
１５・・・第１ユーザ情報送信部
１６・・・コンテンツキャッシュ
２・・・ユーザＢの情報端末装置
２１・・・第２入力部
２２・・・コンテンツ識別情報入力部
２３・・・第２固有キー生成部
２４・・・第２ユーザ情報送信部
３・・・サーバ装置
３０・・・処理サーバ
３０１・・・ユーザ情報受信部
３０２・・・固有キー照合部
３０３・・・共有体験情報構築部
３０４・・・認証部
３０５・・・条件指定部
３０６・・・共有体験情報抽出部
３０７・・・共有体験情報出力制御部
４１・・・ユーザＡの共有体験情報データベース
４２・・・ユーザＢの共有体験情報データベース
５０・・・キャッシュサーバ
【図１】
2016004502.tif 000003
【図２】
2016004502.tif 000004
【図３】
2016004502.tif 000005
【図４】
2016004502.tif 000006
【図５】
2016004502.tif 000007
【図６】
2016004502.tif 000008
【図７】
2016004502.tif 000009
【図８】
2016004502.tif 000010
【図９】
2016004502.tif 000011
【図１０】
2016004502.tif 000012
【図１１】
2016004502.tif 000013
【図１２】
2016004502.tif 000014
【図１３】
2016004502.tif 000015
【図１４】
2016004502.tif 000016